(57)【要約】【課題】振込み（入金）がされた際に、その振込み（入金）を要求された本来の者の特定を簡単、かつ、正確におこなう技術を提供すること。【解決手段】Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と振込専用口座の識別情報とを、前記中央処理装置Ｂの記憶手段に記憶させ、前記振込専用口座宛に入金された場合、前記振込専用口座の識別情報から前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記Ｍｘの名前及び住所に関する情報とを、前記中央処理装置Ａの記憶手段に記憶させる。【選択図】　図１
2004005718.tif 000002
【特許請求の範囲】
【請求項１】
金融機関Ｍｂの中央処理装置Ｂと、金融機関Ｍｂに口座を有する利用者Ｍｚの中央処理装置Ａとを通信手段を介して接続したシステムにおいて利用者Ｍｚが指定した振込専用口座に振込人Ｍｘが振込する振込管理システムにおいて、
中央処理装置Ａ側で、金融機関Ｍｂから貸し出された複数の振込専用口座の識別情報と振込人Ｍｘに関する情報と関連付けて入力する入力手段と、
該入力手段から入力された振込専用口座の識別情報と振込人Ｍｘに関する情報と対応させて記憶する中央処理装置Ａ側の第１の記憶手段と、
Ｍｚの口座の識別情報と、該Ｍｚに貸し出された振込専用口座の識別情報とを関連付けて、記憶する中央処理装置Ｂ側の第２の記憶手段と、
該振込専用口座に振込みされた場合、該第２の記憶手段に対して、該振込専用口座の識別情報から振込専用口座に関連づけられた前記口座の識別情報を検索する演算手段と、
中央処理装置Ｂ側で、前記振込みにおける振込専用口座の識別情報を該識別情報から検索された前記口座の識別情報に読替えて入金処理する演算手段と、
前記振込専用口座の識別情報と前記振込専用口座に振込まれた金額を含む情報を該中央処理装置Ｂから該中央処理装置Ａに送信する手段と、
該中央処理装置Ｂより受信した該振込専用口座の識別情報から、中央処理装置Ａの該第１の記憶手段に対してＭｘに関する情報を検索する演算手段と、
該演算手段によって検索されたＭｘに関する情報を出力する出力手段と、
を有することを特徴とする振込み処理管理システム。
【請求項２】
金融機関Ｍｂに口座を有する利用者Ｍｚにより指定された振込口座に対して、振込人Ｍｘからの振り込みを処理する振込管理システムにおいて、
利用者Ｍｚは、金融機関Ｍｂとオンラインで接続される中央処理装置を有し、該中央処理装置は、
金融機関Ｍｂとオンラインで接続するための通信手段と、
金融機関Ｍｂから貸し出された複数の振込専用口座の識別情報と振込人Ｍｘに関する情報と対応させて記憶する記憶手段と、
金融機関Ｍｂより該通信手段を介して受信した該振込専用口座の識別情報からＭｘに関する情報を検索する演算手段と、
該演算手段により検索されたＭｘに関する情報を出力する出力手段と、
を有することを特徴とする振込管理システム。
【請求項３】
請求項２記載の振込管理システムにおいて、該中央処理装置は更に、
該通信手段を介して金融機関Ｍｂの中央処理装置ＢにＭｚ名義の口座の履歴情報を要求する手段を有し、
前記出力手段は、該演算手段によって検索された振込人に関する情報と振込専用口座番号とを表示し、また、該中央処理装置Ｂから通信手段を介して受信される履歴情報を表示することを特徴とする振込管理システム。
【請求項４】
前記記憶手段は、振込専用口座の識別情報に対応させて振込予定金額を記憶し、前記演算手段は、該記憶手段が記憶している振込予定金額と、前記中央処理装置Ｂから受信した振込金額とを比較し、該出力手段は比較の結果に基く情報を表示することを特徴とする請求項２記載の振込管理システム。
【請求項５】
金融機関Ｍｂと通信手段を介して接続され、金融機関Ｍｂに口座を有する利用者Ｍｚが有する中央処理装置を用いて、利用者Ｍｚが指定する口座に対して振込人Ｍｘが行う振込みを管理する振込管理システムにおいて、
金融機関Ｍｂから貸し出された振込専用口座の識別情報と振込人Ｍｘに関する情報と関連付けて入力する入力手段と、
該入力手段によって入力される複数の振込専用口座の識別情報と振込人Ｍｘに関する情報と対応させて記憶する記憶手段と、
該金融機関Ｍｂから受信された振込専用口座の識別情報からＭｘに関する情報を検索する演算手段と、
該演算手段により検索されたＭｘに関する情報を出力する出力手段と、
を有することを特徴とする振込管理システム。
【請求項６】
金融機関Ｍｂに口座を有する利用者Ｍｚにより指定された口座に、振込人Ｍｘが行う振込みを管理する振込管理方法において、
金融機関Ｍｂから貸し出された複数の振込専用口座の識別情報と振込人Ｍｘに関する情報と対応させて記憶手段に記憶する記憶工程と、
該振込専用口座に振込みがあった場合、金融機関Ｍｂから送信される該振込専用口座の識別情報と振込専用口座に振込まれた金額を含む情報を、受信する受信工程と、
該受信された該振込専用口座の識別情報からＭｘに関する情報を、該記憶手段から検索する工程と、
該検索されたＭｘに関する情報を出力手段に出力する工程と、
を有することを特徴とする振込み管理方法。
【請求項７】
前記記憶工程は、複数の振込専用口座の口座番号を、振込人Ｍｘの名前及び住所に関する情報と対応させて記憶し、
かつ前記受信工程において受信される情報には、更に、振込まれた日付が含まれることを特徴とする請求項６記載の振込み管理方法。
【請求項８】
金融機関Ｍｂに口座を有する利用者Ｍｚにより指定された口座に振込人Ｍｘが振込する振込管理方法において、
金融機関Ｍｂから貸し出された複数の振込専用口座の識別情報と振込人Ｍｘに関する情報と対応させて記憶手段に記憶する記憶工程と、
通信手段を介して金融機関ＭｂにＭｚ名義に関連する口座の履歴情報を要求する工程と、
該振込専用口座に振込みがあった場合、金融機関Ｍｂから送信される該振込専用口座の識別情報と振込専用口座に振込まれた金額を含む情報を、受信する受信工程と、
該受信された該振込専用口座の識別情報からＭｘに関する情報を、該記憶手段から検索する工程と、
該検索されたＭｘに関する情報を出力手段に出力する工程と、
を有することを特徴とする振込管理方法。
【請求項９】
金融機関Ｍｂから送られて、受信される口座の履歴情報には、振込みされた振込専用口座の口座番号と、振込金額と、振込みされた日付けに関する情報が含まれることを特徴とする請求項６記載の振込管理方法。
【請求項１０】
前記記憶工程は、振込専用口座の口座番号に関連付けて振込み予定金額を記憶することを含むことを特徴とする請求項６又は８記載の振込管理方法。
【請求項１１】
金融機関Ｍｂに口座を有する利用者Ｍｚにより指定された口座に振込人Ｍｘが振込する振込管理方法において、
金融機関Ｍｂから貸し出された該振込専用口座の識別情報と振込人Ｍｘに関する情報を入力する入力工程と、
該入力された複数の振込専用口座の識別情報と振込人Ｍｘに関する情報と関連付けて記憶手段に記憶する記憶工程と、
該振込専用口座に振込みがあった場合、金融機関Ｍｂから送信される該振込専用口座の識別情報と振込専用口座に振込まれた金額を含む情報を、受信する受信工程と、
該受信された該振込専用口座の識別情報からＭｘに関する情報を、該記憶手段から検索する工程と、
該検索されたＭｘに関する情報を出力手段に出力する工程と、
を有することを特徴とする振込管理方法。
【発明の詳細な説明】
【０００１】
【発明の属する技術分野】
本発明は、振込の管理方法、及び振込の管理システムに関する。
【０００２】
【発明が解決しようとする課題】
例えば、口座振込みにより、その口座に振込み（入金）された場合、その口座の名義人は、その口座の通帳の記載より、振込（入金）日、振込（入金）金額、及びカタカナによる振込み（入金）した者の情報（例えば、スズキショウテン）を知ることができた。
【０００３】
しかし、振込み（入金）した者の情報がカタカナ情報で有る為、例えばスズキショウテンだけでは、鈴木商店、鈴木小店、鈴基商店などのうちのどのスズキショウテンなのかわからず、スズキショウテンが複数存在する場合、その者を特定することが困難であった。又、振込みを要求された者が、第三者にその振込みを依頼し、その第三者がその振込みの際に振込（入金）者の名前にその第三者の名前を記載（又は、入力）した場合、その振込みを要求された本来の者を特定することが困難であった。例えば、子供の学費を親が自分（親）名義で振込み（入金）した場合などである。
【０００４】
本発明の目的は、振込み（入金）がされた際に、その振込み（入金）を要求された本来の者の特定を簡単、かつ、正確に行うことにある。
【０００５】
【課題を解決するための手段】
本発明は、金融機関Ｍｂの中央処理装置Ｂと、金融機関Ｍｂに口座を有する利用者Ｍｚの中央処理装置Ａとを通信手段を介して接続したシステムにおいて利用者Ｍｚが指定した振込専用口座に振込人Ｍｘが振込する振込管理システムにおいて、中央処理装置Ａ側で、金融機関Ｍｂから貸し出された複数の振込専用口座の識別情報と振込人Ｍｘに関する情報と関連付けて入力する入力手段と、該入力手段から入力された振込専用口座の識別情報と振込人Ｍｘに関する情報と対応させて記憶する中央処理装置Ａ側の第１の記憶手段と、Ｍｚの口座の識別情報と、該Ｍｚに貸し出された振込専用口座の識別情報とを関連付けて、記憶する中央処理装置Ｂ側の第２の記憶手段と、該振込専用口座に振込みされた場合、該第２の記憶手段に対して、該振込専用口座の識別情報から振込専用口座に関連づけられた前記口座の識別情報を検索する演算手段とを有し、
一方、中央処理装置Ｂ側で、前記振込みにおける振込専用口座の識別情報を該識別情報から検索された前記口座の識別情報に読替えて入金処理する演算手段と、前記振込専用口座の識別情報と前記振込専用口座に振込まれた金額を含む情報を該中央処理装置Ｂから該中央処理装置Ａに送信する手段と、該中央処理装置Ｂより受信した該振込専用口座の識別情報から、中央処理装置Ａの該第１の記憶手段に対してＭｘに関する情報を検索する演算手段と、該演算手段によって検索されたＭｘに関する情報を出力する出力手段とを有する振込み処理管理システムとして構成される。
【０００６】
また、本発明は、金融機関Ｍｂに口座を有する利用者Ｍｚにより指定された振込口座に対して、振込人Ｍｘからの振り込みを処理する振込管理システムにおいて、利用者Ｍｚは、金融機関Ｍｂとオンラインで接続される中央処理装置を有し、該中央処理装置は、金融機関Ｍｂとオンラインで接続するための通信手段と、金融機関Ｍｂから貸し出された複数の振込専用口座の識別情報と振込人Ｍｘに関する情報と対応させて記憶する記憶手段と、金融機関Ｍｂより該通信手段を介して受信した該振込専用口座の識別情報からＭｘに関する情報を検索する演算手段と、該演算手段により検索されたＭｘに関する情報を出力する出力手段とを有する振込管理システムとして構成される。
【０００７】
また、上記振込管理システムにおいて、該中央処理装置は更に、該通信手段を介して金融機関Ｍｂの中央処理装置ＢにＭｚ名義の口座の履歴情報を要求する手段を有し、前記出力手段は、該演算手段によって検索された振込人に関する情報と振込専用口座番号とを表示し、また、該中央処理装置Ｂから通信手段を介して受信される履歴情報を表示する。
【０００８】
また、上記振込管理システムにおいて、前記記憶手段は、振込専用口座の識別情報に対応させて振込予定金額を記憶し、前記演算手段は、該記憶手段が記憶している振込予定金額と、前記中央処理装置Ｂから受信した振込金額とを比較し、該出力手段は比較の結果に基く情報を表示する。
【０００９】
また、本発明は、金融機関Ｍｂと通信手段を介して接続され、金融機関Ｍｂに口座を有する利用者Ｍｚが有する中央処理装置を用いて、利用者Ｍｚが指定する口座に対して振込人Ｍｘが行う振込みを管理する振込管理システムにおいて、金融機関Ｍｂから貸し出された振込専用口座の識別情報と振込人Ｍｘに関する情報と関連付けて入力する入力手段と、該入力手段によって入力される複数の振込専用口座の識別情報と振込人Ｍｘに関する情報と対応させて記憶する記憶手段と、該金融機関Ｍｂから受信された振込専用口座の識別情報からＭｘに関する情報を検索する演算手段と、該演算手段により検索されたＭｘに関する情報を出力する出力手段とを有する振込管理システムとして構成される。
【００１０】
更にまた、本発明は、金融機関Ｍｂに口座を有する利用者Ｍｚにより指定された口座に、振込人Ｍｘが行う振込みを管理する振込管理方法において、金融機関Ｍｂから貸し出された複数の振込専用口座の識別情報と振込人Ｍｘに関する情報と対応させて記憶手段に記憶する記憶工程と、該振込専用口座に振込みがあった場合、金融機関Ｍｂから送信される該振込専用口座の識別情報と振込専用口座に振込まれた金額を含む情報を、受信する受信工程と、該受信された該振込専用口座の識別情報からＭｘに関する情報を、該記憶手段から検索する工程と、該検索されたＭｘに関する情報を出力手段に出力する工程を有する振込み管理方法として構成される。
【００１１】
上記振込み管理方法において、前記記憶工程は、複数の振込専用口座の口座番号を、振込人Ｍｘの名前及び住所に関する情報と対応させて記憶し、かつ前記受信工程において受信される情報には、更に、振込まれた日付が含まれる。
【００１２】
本発明は、また、金融機関Ｍｂに口座を有する利用者Ｍｚにより指定された口座に振込人Ｍｘが振込する振込管理方法において、金融機関Ｍｂから貸し出された複数の振込専用口座の識別情報と振込人Ｍｘに関する情報と対応させて記憶手段に記憶する記憶工程と、通信手段を介して金融機関ＭｂにＭｚ名義に関連する口座の履歴情報を要求する工程と、該振込専用口座に振込みがあった場合、金融機関Ｍｂから送信される該振込専用口座の識別情報と振込専用口座に振込まれた金額を含む情報を、受信する受信工程と、該受信された該振込専用口座の識別情報からＭｘに関する情報を、該記憶手段から検索する工程と、該検索されたＭｘに関する情報を出力手段に出力する工程とを有する振込管理方法として構成される。
【００１３】
上記振込管理方法において、金融機関Ｍｂから送られて、受信される口座の履歴情報には、振込みされた振込専用口座の口座番号と、振込金額と、振込みされた日付けに関する情報が含まれる。また、前記記憶工程は、振込専用口座の口座番号に関連付けて振込み予定金額を記憶することを含む。
【００１４】
更に、本発明は、金融機関Ｍｂに口座を有する利用者Ｍｚにより指定された口座に振込人Ｍｘが振込する振込管理方法において、金融機関Ｍｂから貸し出された該振込専用口座の識別情報と振込人Ｍｘに関する情報を入力する入力工程と、該入力された複数の振込専用口座の識別情報と振込人Ｍｘに関する情報と関連付けて記憶手段に記憶する記憶工程と、該振込専用口座に振込みがあった場合、金融機関Ｍｂから送信される該振込専用口座の識別情報と振込専用口座に振込まれた金額を含む情報を、受信する受信工程と、該受信された該振込専用口座の識別情報からＭｘに関する情報を、該記憶手段から検索する工程と、該検索されたＭｘに関する情報を出力手段に出力する工程とを有する振込管理方法として構成される。
【００１５】
これら本発明の構成は、以下の実施の形態の説明から容易に理解されよう。
【００１６】
【発明の実施の形態】
本発明の実施例による管理システムは、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と振込専用口座の識別情報とを、前記中央処理装置Ｂの記憶手段に記憶させ、前記振込専用口座宛に入金された場合、前記振込専用口座の識別情報から前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記Ｍｘの名前及び住所に関する情報とを、前記中央処理装置Ａの記憶手段に記憶させる。
【００１７】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と振込専用口座の識別情報とを、前記中央処理装置Ｂの記憶手段に記憶させ、前記振込専用口座宛に入金された場合、前記振込専用口座の識別情報から前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記振込専用口座に関連づけられた前記Ｍｘの名前及び住所に関する情報とを、前記中央処理装置Ａの記憶手段に記憶させる。
【００１８】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と前記Ｍｚ名義の口座に関連づけられた振込専用口座の識別情報とを、前記中央処理装置Ｂの記憶手段に記憶させ、前記振込専用口座宛に入金された場合、前記振込専用口座の識別情報から前記振込専用口座に関連づけられた前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記Ｍｘの名前及び住所に関する情報とを、前記中央処理装置Ａの記憶手段に記憶させる。
【００１９】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と前記Ｍｚ名義の口座に関連づけられた振込専用口座の識別情報とを、前記中央処理装置Ｂの記憶手段に記憶させ、前記振込専用口座宛に入金された場合、前記振込専用口座の識別情報から前記振込専用口座に関連づけられた前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記振込専用口座に関連づけられた前記Ｍｘの名前及び住所に関する情報とを、前記中央処理装置Ａの記憶手段に記憶させる。
【００２０】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と振込専用口座の識別情報とを、前記中央処理装置Ｂの記憶手段に記憶させ、前記振込専用口座宛に入金された場合、前記振込専用口座の識別情報から前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記Ｍｘの漢字を含む名前に関する情報とを、前記中央処理装置Ａの記憶手段に記憶させる。
【００２１】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と振込専用口座の識別情報とを、前記中央処理装置Ｂの記憶手段に記憶させ、前記振込専用口座宛に入金された場合、前記振込専用口座の識別情報から前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、　前記中央処理装置Ａの制御手段は、前記振込専用口座の識別情報と前記振込専用口座に関連づけられた前記Ｍｘの漢字を含む名前に関する情報とを、前記中央処理装置Ａの記憶手段に記憶させる。
【００２２】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と前記Ｍｚ名義の口座に関連づけられた振込専用口座の識別情報とを、前記中央処理装置Ｂの記憶手段に記憶させ、前記振込専用口座宛に入金された場合、前記振込専用口座の識別情報から前記振込専用口座に関連づけられた前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記Ｍｘの漢字を含む名前に関する情報とを、前記中央処理装置Ａの記憶手段に記憶させる。
【００２３】
又、Ｍｚが指定した振込専用口座にＭｘが入金をおこなう振込の管理システムであって、前記Ｍｚの中央処理装置Ａと、金融機関Ｍｂの中央処理装置Ｂとを有し、前記中央処理装置Ｂの制御手段は、Ｍｚ名義の口座の識別情報と前記Ｍｚ名義の口座に関連づけられた振込専用口座の識別情報とを、前記中央処理装置Ｂの記憶手段に記憶させ、前記振込専用口座宛に入金された場合、前記振込専用口座の識別情報から前記振込専用口座に関連づけられた前記Ｍｚ名義の口座の識別情報を前記中央処理装置Ｂの演算手段に検索させ、前記入金における振込専用口座の識別情報を該識別情報から検索された前記口座の識別情報に読替えて入金処理させ、前記中央処理装置Ａの制御手段は、前記振込専用口座の識別情報と前記振込専用口座に関連づけられた前記Ｍｘの漢字を含む名前に関する情報とを、前記中央処理装置Ａの記憶手段に記憶させる。
【００２４】
特に、前記中央処理装置Ａの制御手段は、前記中央処理装置Ｂより受信した前記振込専用口座の識別情報から前記Ｍｘに関する情報を前記中央処理装置Ａの演算手段に検索させ、前記Ｍｘに関する情報を前記中央処理装置Ａの出力手段に出力させるように構成されている。前記中央処理装置Ａの通信手段と前記中央処理装置Ｂの通信手段とは接続されている。又、前記中央処理装置Ｂの制御手段は、前記中央処理装置Ｂの通信手段を介して、前記振込専用口座の識別情報と前記入金の金額と入金の日付とを前記中央処理装置Ａに向けて送信させるように構成されている。又、前記中央処理装置Ｂの制御手段は、前記中央処理装置Ｂの演算手段に前記振込専用口座の識別情報と前記中央処理装置Ｂの記憶手段から読出させた振込専用口座の識別情報とを比較させ、前記比較の結果、一致した識別情報を持つ振込専用口座に関連づけられた前記Ｍｚ名義の口座の識別情報を前記中央処理装置Ｂの記憶手段から読み出させ、前記入金における振込専用口座の識別情報を前記読み出させた前記口座の識別情報に読替えて入金処理させるように構成されている。或いは、前記中央処理装置Ｂの制御手段は、前記中央処理装置Ｂの演算手段に前記振込専用口座の識別情報を入力し、前記中央処理装置Ｂの演算手段に前記中央処理装置Ｂの記憶手段に記憶されている振込専用口座の識別情報を入力し、前記入力された各々の識別情報を比較させ、前記比較の結果、一致した識別情報を持つ振込専用口座に関連づけられた前記Ｍｚ名義の口座の識別情報を前記中央処理装置Ｂの記憶手段から読み出させ、前記入金における振込専用口座の識別情報を前記読み出させた前記口座の識別情報に読替えて入金処理させるように構成されている。
【００２５】
特に、前記中央処理装置Ｂの制御手段は、前記中央処理装置Ｂの演算手段における第一の入力部に前記振込専用口座の識別情報を入力し、前記中央処理装置Ｂの演算手段における第二の入力部に前記中央処理装置Ｂの記憶手段に記憶されている振込専用口座の識別情報を順次入力し、前記第一の入力部及び前記第二の入力部に入力された各々の識別情報を順次比較させ、前記比較の結果、一致した場合、前記中央処理装置Ｂの記憶手段に記憶されている振込専用口座の識別情報に関連づけられた前記Ｍｚ名義の口座の識別情報を前記中央処理装置Ｂの記憶手段から読み出させ、前記入金における振込専用口座の識別情報を前記読み出させた前記口座の識別情報に読替えて入金処理させるように構成されている。上記管理システムにおいて、口座の識別情報は口座の口座番号であり、振込専用口座の識別情報は振込専用口座の口座番号である。
【００２６】
本発明の実施例による管理方法は、Ｍｚが指定した振込専用口座にＭｘが入金をおこなうためにＭｚの中央処理装置Ａと金融機関Ｍｂの中央処理装置Ｂとを備えたシステムを用いての振込の管理をおこなう方法であって、振込専用口座の識別情報とＭｘの名前及び住所に関する情報とを、中央処理装置Ａの記憶手段に記憶する工程と、口座の識別情報と振込専用口座の識別情報とを、中央処理装置Ｂの記憶手段に記憶する工程と、前記振込専用口座宛に入金された場合、前記振込専用口座の識別情報から前記口座の識別情報を検索する工程と、前記入金における振込専用口座の識別情報を該識別情報から検索された前記口座の識別情報に読替えて入金処理する工程とを有する。又、Ｍｚが指定した振込専用口座にＭｘが入金をおこなうためにＭｚの中央処理装置Ａと金融機関Ｍｂの中央処理装置Ｂとを備えたシステムを用いての振込の管理をおこなう方法であって、振込専用口座の識別情報とＭｘの名前及び住所に関する情報とを、中央処理装置Ａの記憶手段に記憶する工程と、口座の識別情報と前記口座に関連づけられた振込専用口座の識別情報とを、中央処理装置Ｂの記憶手段に記憶する工程と、前記振込専用口座宛に入金された場合、前記振込専用口座の識別情報から前記振込専用口座に関連づけられた前記口座の識別情報を検索する工程と、前記入金における振込専用口座の識別情報を該識別情報から検索された前記口座の識別情報に読替えて入金処理する工程とを有する。
【００２７】
又、Ｍｚが指定した振込専用口座にＭｘが入金をおこなうためにＭｚの中央処理装置Ａと金融機関Ｍｂの中央処理装置Ｂとを備えたシステムを用いての振込の管理をおこなう方法であって、口座の識別情報と振込専用口座の識別情報とを記憶する工程と、前記振込専用口座の識別情報と前記Ｍｘの漢字を含む名前に関する情報とを、前記中央処理装置Ａの記憶手段に記憶する工程と、前記振込専用口座宛に入金された場合、前記振込専用口座の識別情報から前記口座の識別情報を検索する工程と、前記入金における振込専用口座の識別情報を該識別情報から検索された前記口座の識別情報に読替えて入金処理する工程とを有する。
【００２８】
又、Ｍｚが指定した振込専用口座にＭｘが入金をおこなうためにＭｚの中央処理装置Ａと金融機関Ｍｂの中央処理装置Ｂとを備えたシステムを用いての振込の管理をおこなう方法であって、口座の識別情報と前記口座に関連づけられた振込専用口座の識別情報とを記憶する工程と、前記振込専用口座の識別情報と前記Ｍｘの漢字を含む名前に関する情報とを、前記中央処理装置Ａの記憶手段に記憶する工程と、前記振込専用口座宛に入金された場合、前記振込専用口座の識別情報から前記振込専用口座に関連づけられた前記口座の識別情報を検索する工程と、前記入金における振込専用口座の識別情報を該識別情報から検索された前記口座の識別情報に読替えて入金処理する工程とを有する。
【００２９】
特に、Ｍｚの中央処理装置Ａと金融機関Ｍｂの中央処理装置Ｂとを備えたシステムは前記の管理システムである。又、前記振込専用口座の識別情報と前記振込専用口座に入金された金額と入金の日付とを、前記口座の名義人に通知する工程を更に有する。又、前記中央処理装置Ｂより受信した前記振込専用口座の識別情報から前記Ｍｘに関する情報を前記中央処理装置Ａの演算手段に検索させ、この検索されたＭｘに関する情報を前記中央処理装置Ａの出力手段に出力させる工程を更に有する。
【００３０】
以下、本発明を更に詳しく説明する。
【００３１】
図１は、本発明の管理システムの一実施形態の概略図である。図２は本発明の管理システムにおける中央処理装置Ａ，Ｂの構成を示す概略図である。
【００３２】
尚、ここで、Ｍｚから指定された振込専用口座に、Ｍｘ１が振込（入金）をおこなうものとして説明する。
【００３３】
図１中、Ｍｂは、Ｍｚに振込専用口座を貸し出した銀行である。銀行Ｍｂは、事前にＭｚ名義の口座にその口座番号（３２１−１ＸＸＸＸＸＸ）とは違う口座番号を持つ複数の振込専用口座をＭｚに対して貸し出しをおこなう。
【００３４】
Ａは、Ｍｚが操作する中央処理装置である。中央処理装置Ａは、ホスト１から構成される。そのホスト１は、制御手段１ａ、入力手段１ｂ（例えば、キーボード、及びマウス）、演算手段１ｃ、記憶手段１ｄ、出力手段１ｆ（例えば、モニター、及びプリンター）、及び通信手段１ｅから構成される。
【００３５】
Ｂは、銀行Ｍｂが所有する中央処理装置である。中央処理装置Ｂは、ホスト２から構成される。そのホスト２は、制御手段２ａ、入力手段２ｂ（例えば、キーボード、及びマウス）、演算手段２ｃ、記憶手段２ｄ、及び通信手段２ｅから構成される。
【００３６】
ホスト１の通信手段１ｅとホスト２の通信手段２ｅとは、通信で接続される。例えば、専用電話線を介して、オンラインで接続される場合、及びインターネットを介して接続される場合等がある。
１０は、Ｍｘ１（Ｍｚから請求書を発行された者）が振込みをおこなう銀行である。
【００３７】
ホスト１の制御手段１ａは、記憶手段１ｄに銀行Ｍｂから貸し出された複数の振込専用口座の口座番号を記憶させる。そして、Ｍｚはその振込専用口座を一つ選んで振込みする者（Ｍｘ１）に関する情報をホスト１の入力手段１ｂを介してホスト１に入力する。その入力を受けてホスト１の制御手段１ａは、その振込みする者（Ｍｘ１）に関する情報とその振込専用口座の口座番号とを１対１に対応させて記憶手段１ｄに記憶させる。すなわち、ホスト１の制御手段１ａは、その振込みする者（Ｍｘ１）に関する情報（振込人の名前、必要に応じて住所）をその振込専用口座の口座番号にリンク（関連づけ）させて記憶手段１ｄに記憶させる。
【００３８】
又、ホスト１の制御手段１ａは、振込み予定があればその振込予定金額を振込専用口座の口座番号に関連付けて記憶手段１ｄに記憶させる。又、ホスト１の制御手段１ａは、通信手段１ｅを介してホスト２にＭｚ名義の口座の履歴情報（振込みされた振込専用口座の口座番号と、その振込（入金）金額と、その振込みされた日付とから構成される）を要求し、ホスト２から受信させる。又、ホスト１の制御手段１ａは、振込専用口座の口座番号を演算手段に入力し、その振込専用口座に振込みする者（Ｍｘ１）に関する情報を検索させる。
【００３９】
ここで、その検索方法について説明する。まず、ホスト１の演算手段１ｃは、記憶手段１ｄに記憶されている振込専用口座の口座番号を読出させ、その振込専用口座の口座番号とホスト１の制御手段１ａから入力された振込専用口座の口座番号とを比較する。その比較の結果、一致し無い場合、ホスト１の演算手段１ｃは、記憶手段１ｄに記憶されている次の振込専用口座の口座番号を読出させ、先のホスト１の制御手段１ａから入力された振込専用口座の口座番号と比較する。そのホスト１の制御手段１ａから入力された振込専用口座の口座番号と記憶手段１ｄに記憶されている振込専用口座の口座番号とが、一致した場合、ホスト１の演算手段１ｃは、その振込専用口座の口座番号にリンクされているその振込専用口座に振込みする者（Ｍｘ１）に関する情報を記憶手段１ｄに読出させる。
【００４０】
そして、ホスト１の制御手段１ａは、出力手段１ｆにその読出させた振込専用口座に振込みする者（Ｍｘ１）に関する情報とその振込専用口座の口座番号とを表示させる。又、ホスト１の制御手段１ａは、出力手段１ｆに、ホスト２から受信した履歴情報を表示させる。この表示の際、ホスト１の制御手段１ａは、ホスト２から受信した振込（入金）金額と、記憶手段１ｄに記憶されているＭｘ１の振込予定金額とを演算手段１ｃに比較させ、その結果も出力手段１ｆに表示させる。例えば、振込予定金額が複数ある場合は、各々の振込予定金額と振込（入金）金額とを比較させ、その結果を表示させる。この表示によって、Ｍｚは、所定金額の振込みがＭｘ１からあったことを知る。
【００４１】
ホスト２の制御手段２ａは、記憶手段２ｄにＭｚ名義の口座の口座番号とＭｚ名義の口座に対応して貸し出された振込専用口座の口座番号とをリンクさせて記憶させる。
又、ホスト２の制御手段２ａは、振込専用口座の口座番号を演算手段２ｃの第一の入力部に入力し、その振込専用口座を貸し出したＭｚ名義の口座の口座番号を演算手段２ｃに検索させる。
【００４２】
ここで、その検索方法について説明する。まず、ホスト２の演算手段２ｃは、記憶手段２ｄに記憶されている振込専用口座の口座番号を読出させ、その振込専用口座の口座番号を第二の入力部に入力する。そして、第一の入力部に入力に入力された振込専用口座の口座番号と第二の入力部に入力に入力された振込専用口座の口座番号とを比較する。その比較の結果、一致し無い場合、ホスト２の演算手段２ｃは、記憶手段２ｄに記憶されている次の振込専用口座の口座番号を読出させ、第二の入力部に入力する。そして、その比較を行う。その比較が一致するまで、順次その比較をおこなう。比較の結果、一致した場合、ホスト２の演算手段２ｃは、その振込専用口座の口座番号にリンクされているその振込専用口座を貸し出したＭｚ名義の口座の口座番号を記憶手段２ｄに読出させる。
【００４３】
そして、ホスト２の制御手段２ａは、その振込専用口座宛に振込み（入金）された場合、その振込専用口座の口座番号をその読出させたＭｚ名義の口座の口座番号に読替えて入金の処理をおこなう。
【００４４】
又、ホスト２の制御手段２ａは、ホスト１の要求を受けて通信手段２ｅを介してホスト１に向けて、Ｍｚ名義の口座の履歴情報（振込みされた振込専用口座の口座番号と、その振込（入金）金額と、その振込みされた日付とから構成される）を送信させる。次に、本実施形態の動作について説明する。
【００４５】
図３は、本実施形態のフローチャートを示す図である。
まず、Ｍｚは銀行Ｍｂに所有するＭｚ名義の口座（口座番号３２１−１ＸＸＸＸＸＸ）に対して複数の振込専用口座を銀行Ｍｂから借り受ける旨の要求を銀行Ｍｂに行う。この要求を受けて、銀行ＭｂはＭｚ名義の口座（口座番号３２１−１ＸＸＸＸＸＸ）に対して個別の口座番号を持つ複数の振込専用口座を設定する。そして、ホスト２の入力手段２ｂを介してＭｚ名義の口座に複数の振込専用口座が設定された旨の情報と、Ｍｚ名義の口座の口座番号（３２１−１ＸＸＸＸＸＸ）と、その複数の振込専用口座の口座番号とを入力する。その入力を受けたホスト２の制御手段２ａは、そのＭｚ名義の口座に複数の振込専用口座が設定された旨の情報と、Ｍｚ名義の口座の口座番号（３２１−１ＸＸＸＸＸＸ）と、その複数の振込専用口座の口座番号とを関連づけて（リンクさせて）ホスト２の記憶手段２ｄに記憶させる。
【００４６】
そして、ホスト２の制御手段２ａは、その複数の振込専用口座の口座番号を通信手段２ｅに、通信手段１ｅを介してホスト１に送信させる。その複数の振込専用口座の口座番号を受信したホスト１の制御手段１ａは、記憶手段１ｆに記憶させると共に、出力手段１ｆにその複数の振込専用口座の口座番号を表示する。この表示により、Ｍｚは銀行ＭｂからＭｚ名義の口座に複数の振込専用口座が借り受けられた（設定された）ことを確認する。例えば、Ｍｚが銀行Ｍｂから１万件分の振込専用口座を借り受けた場合、各振込専用口座に９０１−１０００００１から９０１−１０１００００の連続する１万件分の振込専用口座の口座番号が設定され、Ｍｚにその口座番号が通知される（ステップＳ１）。
【００４７】
次に、Ｍｚはホスト１の入力手段１ｂに、その振込専用口座のうち一つを選んで（例えば、その口座番号を９０１−１０１０００１とする）、その振込専用口座をＭｘ１からの振込み用とした旨の情報と、その振込専用口座の口座番号（９０１−１０１０００１）と、Ｍｘ１に関する情報（例えば、Ｍｘ１の名前）とを入力する。その入力を受けたホスト１の制御手段１ａは、その入力されたその振込専用口座をＭｘ１からの振込み用とした旨の情報に基づいて、その振込専用口座の口座番号（９０１−１０１０００１）とＭｘ１に関する情報（例えば、Ｍｘ１の名前）とを関連付けて（リンクして）記憶手段１ｄに記憶させる。ここで、Ｍｘ１に関する情報は、ホスト１の記憶手段１ｄに記憶されるものであるので、Ｍｚが任意に登録でき、もちろん漢字での登録も行える。例えば、鈴木商店　東京都ＸＸ区ＸＸ町ＸＸ番と登録する（ステップＳ２）。
【００４８】
そして、ＭｚがＭｘ１に請求書を発行して振込を要求する際に、そのＭｘ専用に設定した振込専用口座の口座番号９０１−１０１０００１をＭｘ１に指定し、その振込専用口座（口座番号９０１−１０１０００１）への振込をＭｘ１に要求する（ステップＳ３）。
【００４９】
その要求を受けたＭｘ１は、Ｍｚから指定されたその振込専用口座（口座番号９０１−１０１０００１）に向けて銀行１０から振込みをおこなう（ステップ４）。その振込みを受け付けた銀行１０は、銀行Ｍｂのその振込専用口座（口座番号９０１−１０１０００１）に向けて、振込みをおこなう。
【００５０】
その振込みを受け付けた銀行Ｍｂのホスト２の制御手段２ａは、その振込専用口座の口座番号（９０１−１０１０００１）と、記憶手段２ｄに記憶されている振込専用口座の口座番号とを演算手段２ｃに入力し、検索（比較）させる。その検索（比較）の結果、振込みされた振込専用口座の口座番号（９０１−１０１０００１）と同一の口座番号である記憶手段２ｄに記憶されている振込専用口座が検索される。そして、ホスト２の制御手段２ａは、演算手段２ｃにその検索された振込専用口座から、その振込専用口座にリンクされている口座（ここでは、Ｍｚ名義の口座（口座番号３２１−１ＸＸＸＸＸＸ））の口座番号を記憶手段２ｄから読み出せる。そして、ホスト２の制御手段２ａは、その振込専用口座宛の振込み（入金）を振込専用口座の口座番号（９０１−１０１０００１）からその読み出した口座の口座番号（３２１−１ＸＸＸＸＸＸ）に読替えて、入金の処理をおこなう（ステップＳ５）。
【００５１】
次に、ホスト２の制御手段２ａは、その振込専用口座の口座番号（９０１−１０１０００１）と、その振込された金額と、その振込された日付とをＭｚ名義の口座（口座番号３２１−１ＸＸＸＸＸＸ）の履歴情報として記憶手段２ｄに記憶させる。
【００５２】
一方、Ｍｚは、Ｍｚ名義の口座（口座番号３２１−１ＸＸＸＸＸＸ）に対する振込（入金）状況の問い合わせの要求情報をホスト１の入力手段１ｂに入力する。その情報が入力されたホスト１の制御手段１ａは、そのＭｚ名義の口座（口座番号３２１−１ＸＸＸＸＸＸ）に対する振込（入金）状況の問い合わせの要求情報を通信手段１ｅに、通信手段２ｅを介してホスト２に向けて送信させる（ステップＳ６）。
【００５３】
その情報を受信したホスト２の制御手段２ａは、記憶手段２ｄに記憶されているＭｚ名義の口座（口座番号３２１−１ＸＸＸＸＸＸ）の履歴情報を読み出させる。そして、ホスト２の制御手段２ａは、そのＭｚ名義の口座（口座番号３２１−１ＸＸＸＸＸＸ）の履歴情報を、通信手段２ｅに、通信手段１ｅを介してホスト１に向けて送信させる。
【００５４】
その履歴情報を受信したホスト１の制御手段１ａは、その履歴情報を出力手段１ｆに表示させる。又、ホスト１の制御手段１ａは、その履歴情報の振込専用口座の口座番号（９０１−１０１０００１）と、記憶手段１ｄに記憶されている振込専用口座の口座番号とを演算手段１ｃに入力し、検索（比較）させる。そして、その検索の結果、検索された記憶手段１ｄに記憶されている振込専用口座（口座番号（９０１−１０１０００１））にリンクされて記憶手段１ｄに記憶されているＭｘ１に関する情報（振込人の名前、必要に応じて住所）を記憶手段１ｄに読み出させる。そして、ホスト１の制御手段１ａは、その読み出されたＭｘ１に関する情報（振込人の名前、必要に応じて住所）を出力手段１ｆに表示させる。
【００５５】
この表示により、Ｍｚは振込（入金）の状況を確認する。尚、ここでは、振込専用口座（口座番号９０１−１０１０００１）から振込が有った旨の情報とＭｘに関する情報（鈴木商店　東京都ＸＸ区ＸＸ町ＸＸ番）とが表示される（ステップＳ７）。
【００５６】
以上説明したように、Ｍｘ１に専用の振込専用口座を設定し、銀行Ｍｂより知らされるその情報（口座番号９０１−１０１０００１）からＭｘ１を正確に特定することができる。
【００５７】
次に、複数の者からの振込みに付いて説明する。尚、ここで、Ｍｘ２、及びＭｘ３から振込みがおこなわれるものとする。図１中、１１，１２は銀行である。
【００５８】
まず、Ｍｚはホスト１の入力手段１ｂに、振込専用口座のうち一つを選んで（例えば、その口座番号を９０１−１０１０００２とする）その振込専用口座をＭｘ２からの振込み用とした旨の情報と、その振込専用口座の口座番号（９０１−１０１０００２）と、Ｍｘ２に関する情報とを入力する。又、Ｍｚはホスト１の入力手段１ｂに、振込専用口座のうち一つを選んで（例えば、その口座番号を９０１−１０１０００３とする）、その振込専用口座をＭｘ３からの振込み用とした旨の情報と、その振込専用口座の口座番号（９０１−１０１０００３）と、Ｍｘ３に関する情報とを入力する。
【００５９】
そして、Ｍｚは、Ｍｘ２に振込みを要求する際に、そのＭｘ２専用に設定した振込専用口座（口座番号９０１−１０１０００２）をＭｘ２に指定し、その振込専用口座（口座番号９０１−１０１０００２）への振込みを要求する。又、Ｍｚは、Ｍｘ３に振込を要求する際に、そのＭｘ３専用に設定した振込専用口座（口座番号９０１−１０１０００３）をＭｘ３に指定し、その振込専用口座（口座番号９０１−１０１０００３）への振込みを要求する。
【００６０】
そして、Ｍｘ２からＸＸ年１０月１１日に振込専用口座（口座番号９０１−１０１０００２）に￥１２、０００円が銀行１１に振込みされたものとする。すると、銀行１１は銀行Ｍｂのその振込専用口座（口座番号９０１−１０１０００２）に向けて、その振込みをおこなう。その振込みを受け付けた銀行Ｍｂのホスト２の制御手段２ａは、その振込専用口座の口座番号（９０１−１０１０００２）と、記憶手段２ｄに記憶されている振込専用口座の口座番号とを演算手段２ｃに入力し、検索（比較）させる。その検索（比較）の結果、振込みされた振込専用口座の口座番号（９０１−１０１０００２）と同一の口座番号である記憶手段２ｄに記憶されている振込専用口座が検索される。そして、ホスト２の制御手段２ａは、演算手段２ｃにその検索された振込専用口座にリンクされている口座（ここでは、Ｍｚ名義の口座）の口座番号（３２１−１ＸＸＸＸＸＸ）を記憶手段２ｄに読み出せる。そして、ホスト２の制御手段２ａは、その振込みを振込専用口座の口座番号（９０１−１０１０００２）から、その読み出した口座の口座番号（３２１−１ＸＸＸＸＸＸ）に読替えて、入金の処理する。これにより、Ｍｘ２から振込専用口座に振込まれた金額はＭｚ名義の口座に振込まれる（入金される）。次に、ホスト２の制御手段２ａは、その振込専用口座の口座番号（９０１−１０１０００２）と、その振込された金額（￥１２、０００円）と、その振込みされた日付（ＸＸ年１０月１１日）とをＭｚ名義の口座（口座番号３２１−１ＸＸＸＸＸＸ）の履歴情報として記憶手段２ｄに記憶させる。
【００６１】
そして、Ｍｚは、Ｍｚ名義の口座（口座番号３２１−１ＸＸＸＸＸＸ）に対する振込み（入金）状況の問い合わせの要求をホスト１の入力手段１ｂを介して、ホスト１に入力する。その情報が入力されたホスト１の制御手段１ａは、そのＭｚ名義の口座（口座番号３２１−１ＸＸＸＸＸＸ）に対する振込み（入金）状況の問い合わせをの要求情報を通信手段１ｅに、通信手段２ｅを介してホスト２に向けて送信させる。その情報を受信したホスト２の制御手段２ａは、記憶手段２ｄに記憶されているＭｚ名義の口座（口座番号３２１−１ＸＸＸＸＸＸ）の履歴情報を読み出させる。そして、ホスト２の制御手段２ａは、そのＭｚ名義の口座（口座番号３２１−１ＸＸＸＸＸＸ）の履歴情報を通信手段２ｅに通信手段１ｅを介して、ホスト１に向けて送信させる。
【００６２】
その履歴情報を受信したホスト１の制御手段１ａは、その履歴情報を出力手段１ｆに表示させる。又、ホスト１の制御手段１ａは、その履歴情報の振込専用口座の口座番号（９０１−１０１０００２）と、記憶手段１ｄに記憶されている振込専用口座の口座番号とを演算手段１ｃに入力し、検索（比較）させる。そして、その検索の結果、検索された記憶手段１ｄに記憶されている振込専用口座（口座番号（９０１−１０１０００２））にリンクされているＭｘ２に関する情報を記憶手段１ｄから読み出させる。そして、ホスト１の制御手段１ａは、その読み出されたＭｘ２に関する情報を出力手段１ｆに表示させる。
【００６３】
ここで、ホスト１にはＸＸ年１０月１１日に振込専用口座（口座番号９０１−１０１０００２）に￥１２、０００円振込み（入金）されたことが表示される。この表示により、ＭｚはＭｘ２から振込み（入金）されたことを知る。又、Ｍｘ３の表示が無いので、Ｍｘ３からはまだ振込み（入金）されていないことを知ることができる。
【００６４】
【発明の効果】
本発明によれば、誰からの振込があったかを正確、かつ、簡単に知ることが出来る。
【図面の簡単な説明】
【図１】本発明の一実施例による管理システムの一実施形態の概略図、
【図２】本発明の一実施例による管理システムにおける中央処理装置Ａ，Ｂの構成を示す概略図、
【図３】本発明の一実施例による管理方法のフローチャート。
【符号の説明】
Ｍｂ　銀行
Ａ，Ｂ　中央処理装置
１，２　ホスト
１０，１１，１２　銀行。
【図１】
2004005718.tif 000003
【図２】
2004005718.tif 000004
【図３】
2004005718.tif 000005